(57)【要約】データ再生装置を動作する方法４００により、ユーザは、同じタイプ又は異なるタイプの装置にわたりオーディオ及び／又はビデオコンテンツの再生を再開することができる。例示的な実施の形態によれば、本方法４００は、異なるデータ再生装置から第一のインデックスデータを受信するステップ４４０を含み、第一のインデックスデータは、第一のフォーマットでのコンテンツにおける第一の位置を示し、コンテンツは、少なくとも１つのオーディオ及びデータをビデオ含む。また、本方法は、第一のインデックスデータを使用してコンテンツにおける第二の位置を決定するステップ４５０、及び第二の位置から開始して第二のフォーマットでのコンテンツの再生を可能にするステップ４６０を含む。
2009536800.tif 000002
【特許請求の範囲】
【請求項１】
第一のフォーマットでのコンテンツにおける第一の位置を示す第一のインデックスデータを第二のデータ再生装置から受信する入力手段と、前記コンテンツは少なくとも１つのオーディオ及びビデオデータを含み、
前記第一のインデックスデータを使用して第二のフォーマットでの前記コンテンツにおける第二の位置を決定するプロセッサとを有し、
前記第一の位置は、前記第二のデータ再生装置が前記コンテンツの再生を中断した位置を表し、前記プロセッサは、前記第二の位置から開始する前記第二のフォーマットでの前記コンテンツの再生を可能にする、
ことを特徴とする第一のデータ再生装置。
【請求項２】
前記第一のインデックスデータは、前記コンテンツの開始から前記第一の位置までの第一の時間インターバルを示す、
請求項１記載の第一のデータ再生装置。
【請求項３】
前記コンテンツの開始から前記第二の位置までの第二の時間インターバルは、前記第一の時間インターバルから予め定義された量を引いた時間インターバルに等しい、
請求項２記載の第一のデータ再生装置。
【請求項４】
前記予め定義された量はユーザによるプログラム制御が可能である、
請求項３記載の第一のデータ再生装置。
【請求項５】
前記第二の位置は、前記第一の位置に最も近い前記コンテンツ内のイントラ符号化されたフレームの位置を表す、
請求項１記載の第一のデータ再生装置。
【請求項６】
前記第二のデータ再生装置は、前記第二のデータ再生装置での前記コンテンツの再生を停止又は一時停止する命令に応じて、前記第一のデータ再生装置に前記第一のインデックスデータを送信する、
請求項１記載の第一のデータ再生装置。
【請求項７】
前記第一のデータ再生装置は、前記第一のデータ再生装置での前記コンテンツの再生を開始する命令に応じて、前記第二のデータ再生装置から前記第一のインデックスデータを要求する、
請求項１記載の第一のデータ再生装置。
【請求項８】
前記第一のデータ再生装置と前記第二のデータ再生装置は、少なくとも１つの他のデータ再生装置とネットワークで接続され、
前記第一のデータ再生装置は、前記第一のデータ再生装置での前記コンテンツの再生を開始する命令に応じて、前記ネットワークから前記コンテンツに適用可能な全てのインデックスデータを要求する、
前記第一のデータ再生装置は、前記要求に応じて前記第一のインデックスデータを受信し、
前記第一のデータ再生装置は、前記要求に応じて前記少なくとも１つの他のデータ再生装置に対応する前記第二のインデックスデータを受信し、
前記第二の位置は、前記第一及び第二のインデックスデータ並びにユーザ入力から決定される、
請求項１記載の第一のデータ再生装置。
【請求項９】
第一のデータ再生装置を動作する方法であって、
第一のフォーマットで第二のデータ再生装置に記憶されているコンテンツにおける第一の位置を示す第一のインデックスデータを第二のデータ再生装置から受信するステップと、前記第一の位置は、前記第二のデータ再生装置が前記コンテンツの再生を中断した位置を表し、前記コンテンツは、少なくとも１つのオーディオ及びビデオデータを含み、
前記第一のインデックスデータを使用して第二のフォーマットで前記第一のデータ再生装置に記憶される前記コンテンツにおける第二の位置を決定するステップと、
前記第二の位置から開始する前記第二のフォーマットでの前記コンテンツの再生を可能にするステップと、
を含むことを特徴とする方法。
【請求項１０】
前記第一のインデックスデータは、前記コンテンツの開始から前記第一の位置までの第一の時間インターバルを示す、
請求項９記載の方法。
【請求項１１】
前記コンテンツの開始から前記第二の位置までの第二の時間インターバルは、前記第一の時間インターバルから予め定義された量を引いた時間インターバルに等しい、
請求項１０記載の方法。
【請求項１２】
前記予め定義された量はユーザによるプログラム制御が可能である、
請求項１１記載の方法。
【請求項１３】
前記第二の位置は、前記第一の位置に最も近い前記コンテンツ内のイントラ符号化フレームの位置を表す、
請求項９記載の方法。
【請求項１４】
前記第二のデータ再生装置は、前記第二のデータ再生装置での前記コンテンツの再生を停止又は一時停止する命令に応じて前記第一のデータ再生装置に前記第一のインデックスデータを送信する、
請求項９記載の方法。
【請求項１５】
前記第一のデータ再生装置は、前記第一のデータ再生装置での前記コンテンツの再生を開始する命令に応答して前記第二のデータ再生装置から前記第一のインデックスデータを要求する、
請求項９記載の方法。
【請求項１６】
前記第一のデータ再生装置及び前記第二のデータ再生装置は、少なくとも１つの他のデータ再生装置とネットワークで接続され、
前記第一のデータ再生装置での前記コンテンツの再生を開始する命令に応じて前記ネットワークから前記コンテンツに適用可能な全てのインデックスデータを要求するステップと、
前記要求に応答して前記第一のインデックスデータを受信するステップと、
前記要求に応答して前記少なくとも１つの他のデータ再生装置に対応する第二のインデックスデータを受信するステップと、
前記第一及び第二のインデックスデータ並びにユーザ入力から前記第二の位置を決定するステップと、
を更に含む請求項９記載の方法。
【請求項１７】
第一のフォーマットでコンテンツにおける第一の位置を示す第一のインデックスデータを記憶する記憶手段と、前記第一の位置は、前記第一のデータ再生装置が前記コンテンツの再生を中断する位置を表し、前記コンテンツは、少なくとも１つのオーディオ及びビデオデータを含み、
前記第一のインデックスデータを第二のデータ再生装置に出力する出力手段とを有し、
前記第一のインデックスデータを使用して第二のフォーマットで前記コンテンツにおける第二の位置を決定し、前記第二の位置から開始する前記第二のフォーマットでの前記コンテンツの再生を可能にする、
ことを特徴とする第一のデータ再生装置。
【請求項１８】
前記第一のインデックスデータは、前記コンテンツの開始から前記第一の位置までの第一の時間インターバルを示す、
請求項１７記載の第一のデータ再生装置。
【請求項１９】
前記コンテンツの開始から前記第二の位置までの第二の時間インターバルは、前記第一の時間インターバルから予め定義された量を引いた時間インターバルに等しい、
請求項１８記載の第一のデータ再生装置。
【請求項２０】
前記予め定義された量は、ユーザによるプログラム制御が可能である、
請求項１９記載の第一のデータ再生装置。
【請求項２１】
前記第二の位置は、前記第一の位置に最も近い前記コンテンツ内のイントラ符号化されたフレームの位置を表す、
請求項１７記載の第一のデータ再生装置。
【請求項２２】
前記出力手段は、前記第一のデータ再生装置での前記コンテンツの再生を停止又は一時停止する命令に応じて前記第二のデータ再生装置に前記第一のインデックスデータを出力する、
請求項１７記載の第一のデータ再生装置。
【請求項２３】
前記第二のデータ再生装置は、前記第二のデータ再生装置での前記コンテンツの再生を開始する命令に応答して前記第一のデータ再生装置から前記第一のインデックスデータを要求する、
請求項１７記載の第一のデータ再生装置。
【請求項２４】
前記第一のデータ再生装置及び前記第二のデータ再生装置は、少なくとも１つの他のデータ再生装置とネットワークで接続され、
前記第二のデータ再生装置は、前記第二のデータ再生装置での前記コンテンツの再生を開始する命令に応答して、前記ネットワークから前記コンテンツに適用可能な全てのインデックスデータを要求し、
前記第二のデータ再生装置は、前記要求に応じて前記第一のインデックスデータを受信し、
前記第二のデータ再生装置は、前記要求に応じて前記少なくとも１つの他のデータ再生装置に対応する第二のインデックスデータを受信し、
前記第二の位置は、前記第一及び第二のインデックスデータ並びにユーザ入力から決定される、
請求項１７記載の第一のデータ再生装置。
【請求項２５】
第一のフォーマットで記憶されたコンテンツを再生するステップと、前記コンテンツは、少なくとも１つのオーディオ及びビデオデータを含み、
第一のフォーマットで記憶された前記コンテンツの再生を中断し、前記第一のフォーマットで前記コンテンツにおける第一の位置を示すインデックスを記憶するステップと、
前記第一のインデックスを使用して第二のフォーマットで記憶されている前記コンテンツにおける第二の位置を決定するステップと、
前記第二の位置から開始して前記第二のフォーマットで前記コンテンツの再生を可能にするステップと、
を含むデータ再生装置を動作する方法。
【請求項２６】
前記第一のインデックスデータは、前記コンテンツの開始から前記第一の位置までの第一の時間インターバルを示す、
請求項２５記載の方法。
【請求項２７】
前記コンテンツの開始から前記第二の位置までの第二の時間インターバルは、前記第一の時間インターバルから予め定義された量を引いた時間インターバルに等しい、
請求項２６記載の方法。
【請求項２８】
前記予め定義された量は、ユーザによるプログラム制御が可能である、
請求項２７記載の方法。
【請求項２９】
前記第二の位置は、前記第一の位置に最も近い前記コンテンツ内のイントラ符号化されたフレームの位置を表す、
請求項２５記載の方法。
【請求項３０】
第一のフォーマットで記憶されたコンテンツにおける第一の位置を示す第一のインデックスデータを記憶する記憶手段と、前記第一の位置は、前記第一のデータ再生装置が前記コンテンツの再生を中断した位置を表し、前記コンテンツは、少なくとも１つのオーディオ及びビデオデータを含み、
前記第一のインデックスデータを使用して第二のフォーマットで記憶される前記コンテンツにおける第二の位置を決定するプロセッサとを有し、
前記プロセッサは、前記第二の位置から開始する前記第二のフォーマットでの前記コンテンツの再生を可能にする、
ことを特徴とするデータ再生装置。
【請求項３１】
前記第一のインデックスデータは、前記コンテンツの開始から前記第一の位置までの第一の時間インターバルを示す、
請求項３０記載の方法。
【請求項３２】
前記コンテンツの開始から前記第二の位置までの第二の時間インターバルは、前記第一の時間インターバルから予め定義された量を引いた時間インターバルに等しい、
請求項３１記載の方法。
【請求項３３】
前記予め定義された量は、ユーザによるプログラム制御が可能である、
請求項３２記載の方法。
【請求項３４】
前記第二の位置は、前記第一の位置に最も近い前記コンテンツ内のイントラ符号化されたフレームの位置を表す、
請求項３０記載の方法。
【発明の詳細な説明】
【技術分野】
【０００１】
本発明は、オーディオ及び／又はビデオデータを再生可能な装置に関し、より詳細には、異なる装置にわたりオーディオ及び／又はビデオコンテンツの再生をユーザが再開するのを可能にする方法である。
【背景技術】
【０００２】
テレビジョン、パーソナルビデオレコーダ（ＰＶＲ）、デジタルバーサティルディスク（ＤＶＤ）プレーヤ、コンパクトディスク（ＣＤ）プレーヤ及び他の装置のようなデータ再生装置は、オーディオ及び／又はビデオコンテンツ（たとえばテレビ番組、映画、歌等）の再生をユーザが制御するのを可能にする。たとえば、係る装置は、停止又はポーズのようなオーディオ及び／又はビデオコンテンツの再生をユーザが中断するのを可能にし、次いで後に、再生を再開する。
【０００３】
あるケースでは、１つのセッティング（たとえばリビングルーム、デン等）における１つのデータ再生装置でオーディオ及び／又はビデオコンテンツの再生を開始し、この再生を停止／一時停止し、次いで、異なるセッティングにおける同じ又は異なるタイプの異なるデータ再生装置でこの再生を再開することがユーザにとって望ましい場合がある。係るケースでは、ユーザが中止した（すなわち再生が停止された）コンテンツ内の同じ位置でユーザが再生を再開するのを試みるときに問題が生じる。特に、ユーザは、ユーザが中止した特定の位置を探すためにオーディオ及び／又はビデオコンテンツをスキャンする必要がある。これは、特に、コンテンツがかなり長い場合（たとえば２時間の映画等）、ユーザにとって過度に不便且つ時間の係るものである。
【発明の開示】
【発明が解決しようとする課題】
【０００４】
したがって、異なるデータ再生装置が異なるフォーマットでオーディオ及び／又はビデオコンテンツにアクセス及び／又は記憶する場合でさえ、異なる係る装置にわたりオーディオ及び／又はビデオコンテンツの再生をユーザが再開するのを可能にする方法が必要とされる。
【課題を解決するための手段】
【０００５】
本発明の態様によれば、データ再生装置が開示される。例示的な実施の形態によれば、データ再生装置は、第二のデータ再生装置からの第一のインデックスデータを受信するために作用する入力を有する。第一のインデックスデータは、第一のフォーマットでのコンテンツにおける第一の位置を示し、このコンテンツは、少なくとも１つのオーディオ及びビデオデータを含む。プロセッサは、第一のインデックスデータを使用して第二のフォーマットでのコンテンツにおける第二の位置を決定するために作用し、第二の位置から開始する第二のフォーマットにおけるコンテンツの再生を可能にするために作用する。第一の位置は、第二のデータ再生装置がコンテンツの再生を中断した位置を表す。
【０００６】
本発明の別の態様によれば、第一のデータ再生装置を動作する方法が開示される。例示的な実施の形態によれば、本方法は、第二のデータ再生装置から第一のインデックスデータを受信するステップを含み、第一のインデックスデータは、第一のフォーマットでのコンテンツにおける第一の位置を示し、第一の位置は、前記第二のデータ再生装置が前記コンテンツの再生を中断した位置を表し、このコンテンツは、少なくとも１つのオーディオ及びビデオデータを含む。本方法は、第一のインデックスデータを使用して第二のフォーマットでのコンテンツにおける第二の位置を決定するステップ、及び第二の位置から開始する第二のフォーマットでのコンテンツの再生を可能にするステップを含む。
【０００７】
本発明の別の態様によれば、別のデータ再生装置が開示される。例示的な実施の形態によれば、データ再生装置は、第一のフォーマットでのコンテンツに於ける第一の位置を示す第一のインデックスデータを記憶するメモリ手段を有する。第一の位置は、データ再生装置がコンテンツの再生を中断した位置を表し、コンテンツは、少なくとも１つのオーディオ及びビデオデータを含む。出力手段は、第一のインデックスデータを第二のデータ再生装置に出力する。第二のデータ再生装置は、第一のインデックスデータを使用して第二のフォーマットでのコンテンツにおける第二の位置を決定し、第二の位置から開始する第二のフォーマットでのコンテンツの再生を可能にする。
【０００８】
本発明の更に別の態様によれば、別のデータ再生装置が開示される。例示的な実施の形態によれば、データ再生装置は、第一のフォーマットで記憶されたコンテンツにおける第一の位置を示す第一のインデックスデータメモリ手段を有する。第一の位置は、第一のデータ再生装置が第一のフォーマットで前記コンテンツの再生を中断した位置を表し、このコンテンツは、少なくとも１つのオーディオ及びビデオデータを含む。第一の再生装置は、前記第一のインデックスデータを使用して第二のフォーマットで記憶されたコンテンツにおける第二の位置を決定するために作用するプロセッサを含み、このプロセッサは、前記第二の位置から開始する前記第二のフォーマットでの前記コンテンツの再生を可能にする。
【０００９】
本発明の上述された特徴及び利点、並びに他の特徴及び利点、これらに付属する様式は明らかとなり、本発明は、添付図面と共に行なわれる本発明の実施の形態の以下の説明を参照することで良好に理解される。  
本明細書で述べる例示は、本発明の好適な実施の形態を示すものであり、係る例示は、任意のやり方で本発明の範囲を限定するものとして解釈されるべきではない。
【発明を実施するための最良の形態】
【００１０】
図面、より詳細には図１を参照して、本発明を実現する第一の例示的なシナリオ１００が示される。特に、図１のシナリオ１００は、本発明の移動体装置の用途に対する固定された装置を表す。図１において、ユーザは、セッティングＡ１として表される彼／彼女の家における第一のデータ再生装置２０ａを介して第一のフォーマットでのオーディオ及び／又はビデオコンテンツ（たとえばテレビ番組、映画、歌等）の再生を開始する。例示的な実施の形態によれば、図１の第一のデータ再生装置２０ａは、結合されたテレビジョン及びＰＶＲのような固定された装置として実施されるが、任意のタイプのデータ再生装置として実施される場合がある。第一のデータ再生装置２０ａは、彼／彼女が離れ、図１におけるセッティングＢ１として表される別のセッティングにおける列車に乗るまで、セッティングＡ１において第一のフォーマットで所与の量（たとえば３０分等）のオーディオ及び／又はビデオコンテンツを再生する。例示的な実施の形態によれば、第一のデータ再生装置２０ａは、コンテンツ内の第一の位置で、セッティングＡ１において第一のフォーマットでオーディオ及び／又はビデオコンテンツを再生するのを停止する。
【００１１】
セッティングＢ１で、ユーザは、セッティングＡで前に聞いたか及び／又は見た同じオーディオ及び／又はビデオコンテンツの再生の再開を、第二のデータ再生装置２０ｂで第二のフォーマットで望む場合がある。例示的な実施の形態では、図１の第二のデータ再生装置２０ｂは、ポータブルＤＶＤプレーヤのような移動装置として実施されるが、任意のタイプのデータ再生装置として実施される。セッティングＢ１における第二のデータ再生装置２０ｂで第二のフォーマットでのオーディオ及び／又はビデオコンテンツの再生を容易にするため、第一のデータ再生装置２０ａがセッティングＡ１におけるオーディオ及び／又はビデオコンテンツの再生を停止した第一の位置を示すインデックスデータが使用される。異なるフォーマットで使用されるため、インデックスデータは、第一の位置への開始からコンテンツを再生することにおける時間インターバルを表す。例示的な実施の形態によれば、第二のデータ再生装置２０ｂは、第一のデータ再生装置２０ａ及び／又は別の装置からインデックスデータを受け、このインデックスデータを使用して、第二のフォーマットでオーディオ及び／又はビデオコンテンツにおける第二の位置を決定する。次いで、第二のデータ再生装置２０ｂは、第二の位置から第二のフォーマットでオーディオ及び／又はビデオコンテンツの再生を開始する。さらに、セッティングＡ１及びＢ１における第一及び第二のデータ再生装置２０ａ及び２０ｂの動作に関する例示的な詳細は、後に提供される。
【００１２】
図２を参照して、本発明を実現する第二の例示的なシナリオ２００が示される。特に、図２のシナリオ２００は、本発明の固定された装置の用途に対する固定された装置を表す。図２では、ユーザは、セッティングＡ２として表される彼／彼女の家（たとえばリビングルーム等）の１つの部屋における第一のデータ再生装置２０ａを介して第一のフォーマットでオーディオ及び／又はビデオコンテンツ（たとえばテレビ番組、映画、歌等）の再生を開始する。例示的な実施の形態によれば、図２の第一のデータ再生装置２０ａは、結合されたテレビジョン及びＰＶＲのような固定された装置として実施されるが、任意のタイプのデータ再生装置として実施される場合もある。ユーザが図２におけるセッティングＢ２として表される彼／彼女のベッドルームのような別のセッティングに移動することを決定するまで、第一のデータ再生装置２０ａは、セッティングＡ２において第一のフォーマットでオーディオ及び／又はビデオコンテンツの所与の量（たとえば３０分等）を再生する。例示的な実施の形態によれば、第一のデータ再生装置２０ａは、コンテンツ内の最初の位置で、セッティングＡ２において第一のフォーマットでオーディオ及び／又はビデオコンテンツの再生を停止する。
【００１３】
セッティングＢ２では、ユーザは、彼／彼女がセッティングＡ２で前に聞いたか及び／又は見たのと同じオーディオ及び／ビデオコンテンツの再生を、第二のデータ再生装置２０ｂにおいて第二のフォーマットで再開するのを望む場合がある。例示的な実施の形態によれば、図２の第二のデータ再生装置２０ｂは、結合されたテレビジョンとＰＶＲのような固定された装置として実施されるが、任意のタイプのデータ再生装置として実施される場合がある。セッティングＢ２における第二のデータ再生装置２０ｂで第二のフォーマットでのオーディオ及び／又はビデオコンテンツの再生を容易にするため、第一のデータ再生装置２０ａがセッティングＡ２におけるオーディオ及び／又はビデオコンテンツの再生を停止した第一の位置を示すインデックスデータが使用される。例示的な実施の形態によれば、第二のデータ再生装置２０ｂは、第一のデータ再生装置２０ａ及び／又は別の装置からのインデックスデータを受信し、このインデックスデータを使用して、第二のフォーマットにおけるオーディオ及び／又はビデオコンテンツにおける第二の位置を決定する。次いで、第二のデータ再生装置２０ｂは、第二の位置から第二のフォーマットでオーディオ及び／又はビデオコンテンツの再生を開始する。セッティングＡ２及びＢ２における第一及び第二のデータ再生装置２０ａ及び２０ｂの動作に関する更なる例示的な詳細は、後に提供される。本発明は、明示的に後述される以外のシナリオにも適用される。
【００１４】
図３を参照して、本発明の例示的な実施の形態に係るデータ再生装置２０ａ／２０ｂのブロック図が示される。すなわち、図１及び図２の第一及び第二のデータ再生装置２０ａ及び２０ｂは、図３に示されるエレメントをそれぞれ含む。図３に示されるように、それぞれのデータ再生装置２０ａ／２０ｂは、Ｉ／Ｏブロック１２のような入力／出力（Ｉ／Ｏ）手段、プロセッサ１４のような処理手段、及びメモリ１６のようなメモリ手段を有する。説明の明確さのため、所定の制御信号／入力、電力信号／入力及び／又は他のエレメントのようなデータ再生装置２０ａ／２０ｂに関連する所定の慣習的なエレメントは、図３に示されていない。
【００１５】
Ｉ／Ｏブロック１２は、データ再生装置２０ａ／２０ｂのＩ／Ｏ機能を実行するために作用する。例示的な実施の形態によれば、Ｉ／Ｏブロック１２は、オーディオ、ビデオ及び／又はデータ信号のような信号をアナログ及び／又はデジタル形式で、有線及び／又は無線の形式で受信及び出力するために作用する。Ｉ／Ｏブロック１２は、たとえば、有線及び／又は無線ネットワークで１以上の他の装置から係る信号を受信し、１以上の他の装置に係る信号を出力する。図３に示されるように、Ｉ／Ｏブロック１２は、地上波、ケーブル、サテライト、インターネット及び／又は他の信号源のような１以上の信号源から信号を受信するために作用する。
【００１６】
プロセッサ１４は、データ再生装置２０ａ／２０ｂの各種信号処理及び制御機能実行するために作用する。例示的な実施の形態によれば、プロセッサ１４は、同調、復調、前方誤り訂正、トランスポート処理機能を含む機能を実行することで、Ｉ／Ｏブロック１２から提供されるオーディオ、ビデオ及び／又はデータ信号を処理し、これにより、オーディオ、ビデオ及び／又はデータコンテンツを表すデジタルデータを生成する。係る処理機能から生成されるデジタルデータは、更なる処理及び／又は出力のために提供される。また、プロセッサ１４は、統合されたキーパッドのような入力エレメント、リモート制御装置及び／又は（図３に示されない）他の入力エレメントからのユーザ入力の処理、メモリ１６からのデータの読取り及び／又はメモリ１６へのデータの書込み、及び／又は他の動作を含めてデータ再生装置２０ａ／２０ｂの他の機能を実行及び／又はイネーブルにするために作用する。
【００１７】
プロセッサ１４は、異なるデータ再生装置２０ａ／２０ｂにわたりオーディオ及び／又はビデオコンテンツの再生をユーザが再開するのを可能にするソフトウェアコードを実行するために作用する。なお、データ再生装置２０ａ／２０ｂは同じ又は異なるタイプとすることができる。例示的な実施の形態によれば、プロセッサ１４は、第一のフォーマットでオーディオ及び／又はビデオコンテンツにおける第一の位置を示すＩ／Ｏブロック１２からのインデックスデータを受ける。第一の位置は、異なるデータ再生装置２０ａ又は２０ｂがオーディオ及び／又はビデオコンテンツの再生を停止した位置を表す。プロセッサ１４は、受信されたインデックスデータを使用して第二のフォーマットでオーディオ及び／又はビデオコンテンツにおける第二の位置を決定し、第二の位置から開始する第二のフォーマットでのオーディオ及び／又はビデオコンテンツの再生を可能にするために作用する。さらに、プロセッサ１４に関する例示的な詳細は、以下に提供される。
【００１８】
メモリ１６は、データ再生装置２０ａ／２０ｂのデータストレージ機能を実行するために作用する。例示的な実施の形態によれば、メモリ１６は、（たとえばＤＶＤ、ＣＤ、フラッシュメモリ等）モバイルデータストレージメディア及び／又は（たとえばＲＡＭ、ＲＯＭ等）固定されたデータストレージメディアを含み、ソフトウェアコード、オーディオ及び／又はビデオコンテンツ、インデックスデータ、ユーザセットアップデータ及び／又は他のデータのようなデータを記憶するために作用する。メモリ１６に記憶されたデータは、たとえば、ネットワークを介して他の装置からデータ再生装置２０ａ／２０ｂに供給される。
【００１９】
図４を参照して、本発明の例示的な実施の形態に係るステップを例示するフローチャート４００が示される。例及び説明の目的で、図４のステップは、図１乃至図３で上述されたエレメントを参照して記載される。図４のステップは、例示のみであり、何れかのやり方で本発明を制限することが意図されない。
【００２０】
ステップ４１０で、第一のデータ再生装置２０ａは、第一のフォーマットでオーディオ及び／又はビデオコンテンツ（たとえばテレビ番組、映画、歌等）を再生し始める。第一のデータ再生装置２０ａは、別の装置から第一のフォーマットでオーディオ及び／又はビデオコンテンツを受信し、及び／又は、それをそのメモリ１６に記憶する。例示的な実施の形態によれば、第一のデータ再生装置２０ａは、（たとえばＰＬＡＹコマンド等）ユーザ入力に応じて、ステップ４１０でオーディオ及び／又はビデオコンテンツを生成し始める。第一のデータ再生装置２０ａは、たとえば、再生がステップ４１０で開始したとき、図１のセッティングＡ１又は図２のセッティングＡ２に位置される場合がある。また、例示的な実施の形態によれば、オーディオ及び／又はビデオコンテンツの第一のフォーマットは、たとえば、コンポジット、コンポーネント、Ｈ．２６４、ＶＣ−１、ＭＰＥＧ−１、ＭＰＥＧ−２、ＭＰＥＧ−３、ＭＰＥＧ−４、ＤＩＶＸ又は他のフォーマットのようなフォーマットに対応する。
【００２１】
ステップ４２０で、第一の再生装置２０ａは、第一の位置で、第一のフォーマットでのオーディオ及び／又はビデオコンテンツの再生を停止する。例示的な実施の形態によれば、第一のデータ再生装置２０ａのプロセッサ１４は、ユーザ入力（たとえばＳＴＯＰコマンド、ＰＡＵＳＥコマンド等）に応答して、ステップ４２０で、オーディオ及び／又はビデオコンテンツの再生を停止させる。ユーザは、たとえば、彼／彼女が図１に示されるようにセッティングＢ１において列車に乗るため、又は図２に示されるセッティングＢ２において彼／彼女のベッドルームに横になるためといった、別のセッティングに離れるため、ステップ４２０で再生を停止する場合がある。
【００２２】
ステップ４３０で、再生がステップ４２０で第一のデータ再生装置２０ａで停止された第一の位置を示すインデックスデータが記憶される。例示的な実施の形態によれば、インデックスデータは、プロセッサ１４の制御下で第一のデータ再生装置２０ａのメモリ１６に記憶されるか、及び／又は、第一のデータ再生装置２０ａ、第二のデータ再生装置２０ｂ及び／又は１以上の他の装置（図示せず）に接続されるネットワーク上にある１以上の他の装置のメモリに記憶される。ステップ４２０で第一のデータ再生装置２０ａで再生が停止される第一の位置を示すことに加えて、ステップ４３０で記憶されるインデックスデータは、様々な他のタイプの情報を含む。例示的な実施の形態によれば、記憶されたインデックスデータは、以下のフィールドを含む場合がある。コンテンツタイトルフィールド、フォーマットフィールド、時間フィールド、トラック番号フィールド、及び装置識別フィールド。
【００２３】
上述のフィールドは以下のように定義される。コンテンツタイトルフィールドは、たとえば特定のＤＶＤ、ボリューム等を含む、再生されているコンテンツファイルのタイトルを示す。フォーマットフィールドは、コンポジット、コンポーネント、Ｈ．２６４、ＶＣ−１、ＭＰＥＧ−１、ＭＰＥＧ−２、ＭＰＥＧ−３、ＭＰＥＧ−４、ＤＩＶＸ又は他のフォーマットのようなコンテンツのデータフォーマットを示す。時間フィールドは、コンテンツファイルの開始から（たとえばHH:MM:SSフォーマットで）再生が停止されたポイントまでの時間インターバルを示す。したがって、時間フィールドは、ステップ４２０で第一のデータ再生装置２０ａで再生が停止された第一の位置を示す。トラック番号フィールドは、トラック情報を使用する任意のコンテンツについてステップ４２０で再生が停止されたトラックを示すために使用される。装置識別フィールドは、第一のデータ再生装置２０ａについて固有の製造業者のＩＤであり、たとえば、Universal Plug and Play装置ＩＤフィールドから取得される。
【００２４】
ステップ４４０で、ステップ４３０で記憶されるインデックスデータは、Ｉ／Ｏブロック１２を介して第二のデータ再生装置２０ｂに供給され、そこでメモリ１６に記憶される。インデックスデータは、様々な異なるやり方で、ステップ４４０で第二のデータ再生装置２０ｂに供給される。１つの例示的な実施の形態によれば、第一のデータ再生装置２０ａは、ステップ４２０で第一のデータ再生装置２０ａでのオーディオ及び／又はビデオコンテンツの再生を停止したユーザ入力（たとえばＳＴＯＰコマンド、ＰＡＵＳＥコマンド等）に応答して、適切な有線及び／又は無線リンクを介してステップ４４０で第二のデータ再生装置２０ｂにインデックスデータを供給する。また、第一のデータ再生装置２０ａ及び第二のデータ再生装置２０ｂがネットワークを介して他の装置に接続される場合、第一のデータ再生装置２０ａは、ステップ４２０で第一のデータ再生装置２０ａでのオーディオ及び／又はビデオコンテンツの再生を停止したユーザ入力（たとえばＳＴＯＰコマンド、ＰＡＵＳＥコマンド等）に応答して、類似のやり方で係る他の装置にインデックスデータを供給する。
【００２５】
別の例示的な実施の形態によれば、第二のデータ再生装置２０ｂは、第二のデータ再生装置２０ｂでのオーディオ及び／又はビデオコンテンツの再生を開始するコマンドに応答して、ステップ４４０でプロセッサ１４の制御下でネットワーク上の第一のデータ再生装置２０ａ及び／又は１以上の他の装置（図示せず）から記憶されているインデックスデータを要求する。この例示的な実施の形態によれば、第二のデータ再生装置２０ｂのプロセッサ１４は、オーディオ及び／又はビデオコンテンツに適用可能な全てのインデックスデータを要求する信号を、ネットワークを通して送信する。このようにして、第二のデータ再生装置２０ｂは、要求に応じて異なる装置からオーディオ及び／又はビデオコンテンツの異なるインデックスデータを受信する。この状況は、たとえば多数のネットワークユーザが同じオーディオ及び／又はビデオコンテンツを前に聞いているか及び／又は見ている場合に生じる。
【００２６】
ステップ４５０で、第二のデータ再生装置２０ｂは、ステップ４４０で供給されたインデックスデータを使用して第二のフォーマットでオーディオ及び／又はビデオコンテンツにおける第二の位置を決定する。第二のデータ再生装置２０ｂは、別の装置から第二のフォーマットでオーディオ及び／又はビデオコンテンツを受信し、及び／又はそれをそのメモリ１６に記憶する。例示的な実施の形態によれば、オーディオ及び／又はビデオコンテンツの第二のフォーマットは、たとえば、コンポジット、コンポーネント、Ｈ．２６４、ＶＣ−１，ＭＰＥＧ−１、ＭＰＥＧ−２、ＭＰＥＧ−３、ＭＰＥＧ−４、ＤＩＶＸ又は他のフォーマットのようなフォーマットに対応するが、第一のフォーマットとは異なる。例示的な実施の形態によれば、第二のデータ再生装置２０ｂのプロセッサ１４は、第一の位置に最も近いか、又はユーザがプログラム可能な量（たとえば第一の位置の前の３秒、第一の位置の前の３０秒等）だけ第一の位置に最も近い第二のフォーマットにおけるオーディオ及び／又はビデオコンテンツ内のイントラ符号化されたフレーム（a.k.a., I-frame）の位置に対応する第二の位置を決定する。特に、プロセッサ１４は、ステップ４５０で第二の位置を決定するためにインデックスデータの時間フィールドにおけるデータを使用する。
【００２７】
第二のデータ再生装置２０ｂがステップ４４０で異なる装置からオーディオ及び／又はビデオコンテンツの異なるインデックスデータを受信した場合、ユーザ入力は、どのインデックスデータをオーディオ及び／又はビデオコンテンツの再生を再開するために第二のデータ再生装置２０ｂが使用すべきかを選択するために供給される。ビデオコンテンツの場合、ユーザには、異なるインデックスデータにそれぞれ対応する多数のスクリーンショットが提供される。次いで、ユーザは、どのインデックスデータをビデオコンテンツの再生を再開するために第二のデータ再生装置２０ｂが使用すべきかを示すため、ユーザ入力を介してスクリーンショットのうちの１つを選択する。
【００２８】
ステップ４６０で、第二のデータ再生装置２０ｂは、ステップ４５０で識別される第二の位置から開始して、ユーザ選択の入力を考慮して、第二のフォーマットでのオーディオ及びビデオコンテンツを再生し始める。
【００２９】
更に別の実施の形態では、第一及び第二の再生装置２０ａ及び２０ｂのそれぞれは、２つの異なるフォーマットでコンテンツを記憶し、たとえば一方はアナログコンポジットフォーマットであり、他方はＭＰＥＧ−２フォーマットである。かかる実施の形態では、再生装置は、再生装置により一方のフォーマットでの再生が中断された第一の位置を示すインデックスデータをメモリに記憶し、インデックスデータを別の再生装置に提供し、別の再生装置からインデックスデータを受信し、他の実施の形態で上述されたのと同様に、他のフォーマットでのコンテンツにおける第二の位置を決定する。しかし、再生装置が他のフォーマットでのコンテンツの再生を再開したとき、再生装置は、メモリにおけるインデックスデータを使用して、ネットワークにおける他のデータ再生装置からのインデックスデータを要求することなしに第二の位置を決定する。
【００３０】
本明細書で記載されるように、本発明は、異なる装置にわたりオーディオ及び／ビデオコンテンツの再生をユーザが再開するのを可能にする方法を提供する。本発明は好適な設計を有するものとして記載されたが、本発明は、この開示の精神及び範囲で更に変更することができる。したがって、本出願は、その一般的な原理を使用して本発明のバリエーション、使用、又は適合をカバーすることが意図される。さらに、本出願は、本発明が属する技術分野であって、特許請求の範囲に含まれる当該技術分野で公知又は公用であるとしてこの開示からの逸脱をカバーすることが意図される。
【図面の簡単な説明】
【００３１】
【図１】本発明を実現する第一の例示的なシナリオを示す図である。
【図２】本発明を実現する第二の例示的なシナリオを示す図である。
【図３】本発明の例示的な実施の形態に係るデータ再生装置のブロック図である。
【図４】本発明の例示的な実施の形態に係る例示的なステップを示すフローチャートである。
【図１】
2009536800.tif 000003
【図２】
2009536800.tif 000004
【図３】
2009536800.tif 000005
【図４】
2009536800.tif 000006
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
第二のフォーマットとは異なる第一のフォーマットでのコンテンツにおける第一の位置を示す第一のインデックスデータを使用して、前記第二のフォーマットでの前記コンテンツにおける第二の位置を決定するプロセッサを有し、
前記コンテンツは、少なくとも１つのオーディオ及びビデオデータを含み、
前記第一の位置は、前記第一のフォーマットでの前記コンテンツの再生が中断した位置を表し、
前記プロセッサは、前記第二の位置から開始する前記第二のフォーマットでの前記コンテンツの再生を可能にする、
ことを特徴とする第一のデータ再生装置。
【請求項２】
前記第一のインデックスデータを使用して、前記第二のフォーマットで前記第一のデータ再生装置に記憶される前記コンテンツにおける前記第二の位置を決定するステップと、
前記第二の位置から開始する前記第二のフォーマットでの前記コンテンツの再生を可能にするステップと、
を含む請求項１記載の第一のデータ再生装置を動作する方法。
【請求項３】
第一のフォーマットでコンテンツにおける第一の位置を示す第一のインデックスデータを記憶する記憶手段と、前記第一の位置は、第一のデータ再生装置が前記コンテンツの再生を中断する位置を表し、前記コンテンツは、少なくとも１つのオーディオ及びビデオデータを含み、
前記第一のインデックスデータを前記第一のデータ再生装置に出力する出力手段とを有し、
前記第一のデータ再生装置は、前記第一のインデックスデータを使用して、前記第一のフォーマットとは異なる第二のフォーマットで前記コンテンツにおける第二の位置を決定し、前記第二の位置から開始する前記第二のフォーマットでの前記コンテンツの再生を可能にする、
ことを特徴とする第二のデータ再生装置。
【請求項４】
第一のフォーマットで記憶されたコンテンツを再生するステップと、前記コンテンツは、少なくとも１つのオーディオ及びビデオデータを含み、
第一のフォーマットで記憶された前記コンテンツの再生を中断し、前記第一のフォーマットで前記コンテンツにおける第一の位置を示すインデックスを記憶するステップと、
前記第一のインデックスを使用して、前記第一のフォーマットとは異なる第二のフォーマットで記憶されている前記コンテンツにおける第二の位置を決定するステップと、
前記第二の位置から開始する前記第二のフォーマットでの前記コンテンツの再生を可能にするステップと、
を含むデータ再生装置を動作する方法。
【国際調査報告】
2009536800.tif 000007
2009536800.tif 000008